(57)【要約】【課題】ペット排泄物の隠蔽効果が高いペット用吸収性シートを提供する【解決手段】  透液性の表面シート１１０と、不透液性の裏面シート１６０と、前記表面シート１１０および裏面シート１６０の間に設けられて、前記表面シート１１０を透過した液を吸収する吸収体１４０と、前記表面シート１１０と前記吸収体１４０との間に配置された中間シート１２０と、前記表面シート１１０、前記裏面シート１６０、前記吸収体１４０の内の少なくとも一つとともに配色パターンを形成する配色領域１３０とを有し、前記表面シート１１０が、前記中間シート１２０よりも全光線透過率が低く形成されていることを特徴とするペット用吸収性シート。【選択図】図２
2014117177.tif 000002
【特許請求の範囲】
【請求項１】
ペット用吸収性シートであって、
ペットが排泄を行う側の表面である排泄面と、
該排泄面と対向する表面である載置面と、
前記排泄面側に配置される透液性の表面シートと、
前記載置面側に配置される不透液性の裏面シートと、
前記表面シートおよび前記裏面シートの間に設けられて、前記表面シートを透過した液を吸収する吸収体と、
該吸収体に設けられたコア層と、該コア層における前記排泄面側に形成されたコア層表面と、該コア層における前記載置面側に形成されたコア層裏面と、該コア層表面とコア層裏面の間に形成されたコア層側面と、
前記コア層表面の少なくとも一部を覆う被覆シートと、
前記表面シートと前記吸収体との間に配置された中間シートと、を有し、
前記排泄面側から視認可能であり、前記ペット用吸収性シートの他の領域とともに配色パターンを形成する配色領域を有するとともに、
前記表面シートが、前記中間シートよりも全光線透過率が低く形成されていることを特徴とするペット用吸収性シート。
【請求項２】
請求項１に記載されたペット用吸収性シートにおいて、
前記表面シートと前記中間シートとの全光線透過率の差異が１〜５０％であることを特徴とするペット用吸収性シート。
【請求項３】
請求項１または２に記載されたペット用吸収性シートにおいて、
前記表面シートの全光線透過率が４０〜８０％であることを特徴とするペット用吸収性シート。
【請求項４】
請求項１〜３のいずれか１項に記載されたペット用吸収性シートにおいて、
前記中間シートの全光線透過率が６０〜９０％であることを特徴とするペット用吸収性シート。
【請求項５】
請求項１〜４のいずれか１項に記載されたペット用吸収性シートにおいて、
前記表面シートが、複数の畝部と、隣り合う前記畝部同士の間に形成された溝部とを有することを特徴とするペット用吸収性シート。
【請求項６】
請求項１〜５のいずれか１項に記載されたペット用吸収性シートにおいて、
前記中間シートが、２つのスパンボンド不織布層の間にメルトブローン不織布層を有する複合不織布からなり、該複合不織布の目付は８〜２５ｇ／ｍ２であることを特徴とするペット用吸収性シート。
【請求項７】
請求項１〜６のいずれか１項に記載されたペット用吸収性シートにおいて、
前記配色手段におけるＬ＊a＊ｂ＊表色系のＬ＊値が、５０以下であることを特徴とするペット用吸収性シート。
【請求項８】
請求項１〜６のいずれか１項に記載されたペット用吸収性シートにおいて、
前記配色手段におけるＬ＊a＊ｂ＊表色系のＬ＊値が０より大きく１００より小さくかつｂ値が−０．４ａ以上であることを特徴とするペット用吸収性シート。
【請求項９】
請求項１〜８のいずれか１項に記載されたペット用吸収性シートにおいて、
前記配色領域が、前記被覆シートに形成されていることを特徴とするペット用吸収性シート。
【請求項１０】
請求項９に記載されたペット用吸収性シートにおいて、
前記被覆シートが、前記コア層表面の少なくとも一部を覆う第１の被覆シートと、前記コア層裏面の少なくとも一部を覆う第２の被覆シートとにより形成され、
前記配色領域が、前記第１の被覆シートに形成されていることを特徴とするペット用吸収性シート。
【請求項１１】
請求項９に記載されたペット用吸収性シートにおいて、
前記被覆シートが、前記コア層裏面を覆う第３の被覆シートにより形成され、
前記配色領域が、前記第３の被覆シートに形成されていることを特徴とするペット用吸収性シート。
【請求項１２】
請求項９〜１１のいずれか１項に記載されたペット用吸収性シートにおいて、
前記中間シートが、複数配置されていることを特徴とするペット用吸収性シート。
【請求項１３】
請求項１〜８のいずれか１項に記載されたペット用吸収性シートにおいて、
前記配色領域が、前記中間シートに形成されていることを特徴とするペット用吸収性シート。
【請求項１４】
請求項１〜８のいずれか１項に記載されたペット用吸収性シートにおいて、
前記配色領域が、前記表面シートに形成されていることを特徴とするペット用吸収性シート。
【請求項１５】
請求項１〜８のいずれか１項に記載されたペット用吸収性シートにおいて、
前記配色領域が、前記コア層に形成されていることを特徴とするペット用吸収性シート。
【発明の詳細な説明】
【技術分野】
【０００１】
本発明は、ペット用吸収性シートに係り、特に排泄物の隠蔽性に優れたペット用吸収性シートに関する。
【背景技術】
【０００２】
従来より、特に室内で飼育されるペットの排泄物処理に使用されるペット用吸収性シートがある。例えば、特開２０１２−１３０２８５号に示されるペット用吸収性シートが提案されている。
【０００３】
特開２０１２−１３０２８５号に係るペット用吸収性シートは、液透過性の表面シートと、吸収体との間に中間シートが配置されている。そして、中間シートと吸収体との間に、黒色系成分を有する有色シートが配置されている。
表面シートは光透過性を有する。中間シートは、有色シートの黒色系成分よりもＬ＊値が大きく、液保持が可能であり、表面シートよりも光透過率が低く構成されている。
【０００４】
この構成により、ペットが従来技術に係るペット用吸収性シートに排尿を行った場合、尿の一部は中間シートにより保持される。中間シートの裏面側には有色シートが配置され、表面側には光透過性を有する表面シートが配置されている。よって、使用者は、中間シートに保持された尿の輪郭を表面シート側から容易に確認することができる。
【０００５】
一方、実現しようとするペット用吸収性シートによっては、排泄後の尿の輪郭を表面シートから見え難くしたい場合があった。
【先行技術文献】
【特許文献】
【０００６】
【特許文献１】特開２０１２−１３０２８５号公報
【発明の概要】
【発明が解決しようとする課題】
【０００７】
本発明は、このような点に鑑みて創案されたものであり、排泄物の隠蔽性が良好であるペット用吸収性シートを提供することを目的とする。
【課題を解決するための手段】
【０００８】
上記課題を解決するため、本発明に係るペット用吸収性シートの好ましい形態によれば、ペットが排泄を行う側の表面である排泄面と、該排泄面と対向する表面である載置面と、前記排泄面側に配置される透液性の表面シートと、前記載置面側に配置される不透液性の裏面シートと、前記表面シートおよび前記裏面シートの間に設けられて、前記表面シートを透過した液を吸収する吸収体と、該吸収体に設けられたコア層と、該コア層における前記排泄面側に形成されたコア層表面と、該コア層における前記載置面側に形成されたコア層裏面と、該コア層表面とコア層裏面の間に形成されたコア層側面と、前記コア層表面の少なくとも一部を覆う被覆シートと、前記表面シートと前記吸収体との間に配置された中間シートと、を有し、前記排泄面側から視認可能であり、前記ペット用吸収性シートの他の領域とともに配色パターンを形成する配色領域を有するとともに、前記表面シートが、前記中間シートよりも全光線透過率が低く形成されている。
【０００９】
本発明に係るペット用吸収性シートのさらなる形態によれば、前記表面シートと前記中間シートとの全光線透過率の差異が１〜５０％である。
【００１０】
本発明に係るペット用吸収性シートのさらなる形態によれば、前記表面シートの全光線透過率が４０〜８０％である。
【００１１】
本発明に係るペット用吸収性シートのさらなる形態によれば、前記中間シートの全光線透過率が６０〜９０％である。
【００１２】
本発明に係るペット用吸収性シートのさらなる形態によれば、前記表面シートが、複数の畝部と、隣り合う前記畝部同士の間に形成された溝部とを有する。
【００１３】
本発明に係るペット用吸収性シートのさらなる形態によれば、前記中間シートが、２つのスパンボンド不織布層の間にメルトブローン不織布層を有する複合不織布からなり、該複合不織布の目付は８〜２５ｇ／ｍ２である。
【００１４】
本発明に係るペット用吸収性シートのさらなる形態によれば、前記配色手段におけるＬ＊a＊ｂ＊表色系のＬ＊値が、５０以下である。
【００１５】
本発明に係るペット用吸収性シートのさらなる形態によれば、前記配色手段におけるＬ＊a＊ｂ＊表色系のＬ＊値が０より大きく１００より小さくかつｂ＊値が−０．４ａ以上である。
【００１６】
本発明に係るペット用吸収性シートのさらなる形態によれば、前記配色領域が、前記被覆シートに形成されている。
【００１７】
本発明に係るペット用吸収性シートのさらなる形態によれば、前記被覆シートが、前記コア層表面の少なくとも一部を覆う第１の被覆シートと、前記コア層裏面の少なくとも一部を覆う第２の被覆シートとにより形成され、前記配色領域が、前記第１の被覆シートに形成されている。
【００１８】
本発明に係るペット用吸収性シートのさらなる形態によれば、前記被覆シートが、前記コア層裏面を覆う第３の被覆シートにより形成され、前記配色領域が、前記第３の被覆シートに形成されている。
【００１９】
本発明に係るペット用吸収性シートのさらなる形態によれば、前記中間シートが、複数配置されている。
【００２０】
本発明に係るペット用吸収性シートのさらなる形態によれば、前記配色領域が、前記中間シートに形成されている。
【００２１】
本発明に係るペット用吸収性シートのさらなる形態によれば、前記配色領域が、前記表面シートに形成されている。
【００２２】
本発明に係るペット用吸収性シートのさらなる形態によれば、前記配色領域が、前記コア層に形成されている。
【発明の効果】
【００２３】
本発明によれば、ペット排泄物の隠蔽効果が高いペット用吸収性シートを提供することができる。
【図面の簡単な説明】
【００２４】
【図１】本発明の第１の実施態様に係るペット用吸収性シートの斜視図である。
【図２】図１におけるＡ−Ａ線断面図である。
【図３】中間シートの説明図である。
【図４】本発明の第２の実施他態様に係るペット用吸収性シートの断面図である。
【図５】本発明の第３の実施他態様に係るペット用吸収性シートの断面図である。
【図６】本発明の第４の実施他態様に係るペット用吸収性シートの断面図である。
【図７】本発明の第５の実施他態様に係るペット用吸収性シートの断面図である。
【図８】本発明の第６の実施他態様に係るペット用吸収性シートの断面図である。
【図９】本発明の第７の実施他態様に係るペット用吸収性シートの断面図である。
【図１０】本発明の第８の実施他態様に係るペット用吸収性シートの断面図である。
【図１１】本発明の第９の実施他態様に係るペット用吸収性シートの断面図である。
【図１２】本発明の第１０の実施他態様に係るペット用吸収性シートの断面図である。
【図１３】本発明の第１１の実施他態様に係るペット用吸収性シートの断面図である。
【図１４】本発明の第１２の実施他態様に係るペット用吸収性シートの断面図である。
【図１５】本発明の第１３の実施他態様に係るペット用吸収性シートの断面図である。
【図１６】本発明の第１４の実施他態様に係るペット用吸収性シートの断面図である。
【図１７】実施例に係るシートの全光線透過率の測定結果を示すデータである。
【図１８】実施例に係る排泄物隠蔽効果テストの測定結果を示すデータである。
【発明を実施するための最良の形態】
【００２５】
（第１の実施形態）
以下に、本発明に係るペット用吸収性シートの第１の実施形態を図１〜図３により説明する。本実施の形態における「ペット」は、脊椎動物（哺乳類、爬虫類、鳥類、両性類）や無脊椎動物を広く包含するが、典型的には、猫、犬、ウサギ、ハムスターなどといった愛玩動物がこれに該当する。
【００２６】
このペット用吸収性シート１００は、所定の厚みを有する平板状のシートであり、平坦状に広げられて、裏面シート１６０が載置箇所に載置された状態で、ペットの排泄物を受ける状態、すなわちペット使用モードを有する。
本実施の形態に係るペット用吸収性シートは、矩形（長方形ないし正方形）のシートとして構成されるのが好ましいが、円形、楕円形、多角形としても構成し得る。ここでいう「ペットの排泄物」は、ペットの屎尿のみならず、唾液や経血等の体液も広く包含する趣旨である。この使用モードでは、表面シート１１０は、ペットに非接触の状態でペットの排泄物を受ける平坦状の排泄物受け面（以下においては、主吸収領域とも称呼される）と、当該ペットの歩行が可能なペット歩行面とを兼ねた面構造をなす。この場合の「載置箇所」に関し、ペット用吸収性シートを床面等に直接的に敷設する形態や、ペット用吸収性シートを保持ホルダに取り付けた状態で当該保持ホルダごと床面等に設置する形態などが包含される。
【００２７】
本発明の第１実施例にかかるペット用吸収性シート１００の全体構成が、図１に斜視図として示され、また図１におけるＡ−Ａ線での当該ペット用吸収性シート１００の断面構造が図２に模式的に示される。
ペット用吸収性シート１００は、使用モードにおいて、ペットが排泄を行う側の表面である排泄面１０１と、載置箇所に接触する表面を載置面１０２とを有する。この載置面１０２は、排泄面１０１と対向する箇所となる。
この排泄面１０１が、本発明に係る「ペットが排泄を行う側の表面である排泄面」の一例である。
この排泄面１０２が、本発明に係る「該排泄面と対向する表面である載置面」の一例である。
【００２８】
ペット用吸収性シート１００は、排泄面１０１側に配置される透液性の表面シート１１０を有する。この表面シート１１０が、本発明に係る「前記排泄面側に配置される透液性の表面シート」の一例である。
また、ペット用吸収性シート１００は、載置面１０２側に配置される不透液性の裏面シート１６０を有する。この裏面シート１６０が、本発明に係る「前記載置面側に配置される不透液性の裏面シート」の一例である。
【００２９】
また、ペット用吸収性シート１００は、表面シート１１０および裏面シート１６０の間に設けられて、表面シート１１０を透過した液を吸収する吸収体１４０を有する。この吸収体１４０が、本発明に係る「前記表面シートおよび前記裏面シートの間に設けられて、前記表面シートを透過した液を吸収する吸収体」の一例である。
【００３０】
また、ペット用吸収性シート１００は、表面シート１１０と吸収体１４０との間に配置された中間シート１２０を有する。この中間シート１２０が、本発明に係る「前記表面シートと前記吸収体との間に配置された中間シート」の一例である。
【００３１】
また、ペット用吸収性シート１００は、排泄面１０１側から視認可能であり、ペット用吸収性シート１００の他の領域とともに配色パターンを形成する配色領域１３０を有する。
この配色領域１３０が、本発明に係る「前記排泄面側から視認可能であり、前記ペット用吸収性シートの他の領域とともに配色パターンを形成する配色領域」の一例である。
なお、本願発明において「配色パターン」とは、色彩のみを表すものではない。例えば、明度や、輝度などを含む概念である。すなわち、本発明において「配色パターンが異なる」とは、使用者が異なる配色であることを認識すれば足りるものである。
この際、例えば図２に示すような断面図において、配色領域１３０を形成された部品と、他の部品とで配色パターンを形成すれば足りるものである。
なお、配色領域１３０の具体的な構成については後述する。
【００３２】
表面シート１１０および裏面シート１６０は、吸収体１４０よりも一回り大きい形状となるように形成される。そして、表面シート１１０と裏面シート１６０との間に中間シート１２０と、配色領域１３０と、吸収体１４０を配置しつつ、当該表面シート１１０および裏面シート１６０のそれぞれの周縁を端部側接合部１５４にて互いに接合する。
【００３３】
表面シート１１０は、熱可塑性繊維製の不織布にて構成可能であり、例えば、熱可塑性長繊維からなるスパンボンド不織布、熱可塑性短繊維からなるエアスルー不織布、ポイントボンド不織布、または開孔フィルムによって構成することができる。
特に本発明に係る表面シート１１０は、エアスルー不織布が使用される。この表面シート１１０は、畝部１１１と、隣り合う畝部１１１同士の間に形成された溝部１１２と、この溝部１１２の連続する方向に沿って間隔を空けて設けられた開口部１１３とを有する。
この表面シート１１０に形成された畝部１１１と溝部１１２が、本発明に係る「前記表面シートが、複数の畝部と、隣り合う前記畝部同士の間に形成された溝部とを有する」の一例である。
なお、表面シートの畝部１１１と溝部１１２とは、排泄面１０１の表層を構成する。すなわち、使用者が視認する際に、最も使用者に近い部分となる。
よって、使用者がペット用吸収性シート１００を視認した際には、まず表面シート１１０の溝部１１１と畝部１１２が強く使用者に認識される。
よって、特に液状の排泄物の輪郭を認識し難くすることができる。
【００３４】
また、表面シート１１０の全光線透過率は、中間シート１２０よりも低く構成されている。これが、本発明に係る「前記表面シートが、前記中間シートよりも全光線透過率が低く形成されている」の一例である。
この表面シート１１０の全光線透過率を低くすることは、表面シート１１０の厚みを厚くしたり、表面シート１１０を形成する合成繊維に対する酸化チタンの添加量を増加させたり、繊維密度を高くすることにより実現される。
【００３５】
また、表面シート１１０と中間シート１２０との全光線透過率の差異は、１〜５０％であることが好ましい。これが、本発明に係る「前記表面シートと前記中間シートとの全光線透過率の差異が１〜５０％である」の一例である。
また、表面シート１１０の全光線透過率は４０〜８０％であることが好ましい。これが、本発明に係る「前記表面シートの全光線透過率が４０〜８０％である」の一例である。
【００３６】
中間シート１２０は、熱可塑性繊維製の不織布にて構成可能である。例えばエアスルー不織布、ポイントボンド不織布、スパンボンド不織布などによって構成することができる。
特に本発明に係る中間シート１２０は、第１スパンボンド不織布層１２１と第２のスパンボンド不織布層１２２との間にメルトブローン不織布層１２３を有する複合不織布が使用されることが好ましい、この複合不織布は、ＳＭＳ不織布と称呼されることがある。中間シート１２０にＳＭＳ不織布を使用する場合、目付は８〜２５ｇ／ｍ２であることが好ましい。
この中間シート１２０が、本発明に係る「前記中間シートが、２つのスパンボンド不織布層の間にメルトブローン不織布層を有する複合不織布からなり、該複合不織布の目付は８〜２５ｇ／ｍ２である」の一例である。
【００３７】
なお、中間シート１２０を構成するＳＭＳ不織布は、表面シート１１０よりも繊維密度が高いため、毛細管現象による液の引き込み性に優れる。よって、中間シート１２０は、液状の排泄物をすばやく表面シート１１０から引き込むことができる。
この結果、表面シート１１０に残る液状の排泄物の量を減少させることができる。
従って、表面シート１１０の排泄面１０１から液状の排泄物を視認し難くできる。
【００３８】
また、中間シート１２０の全光線透過率は、表面シート１１０よりも高いものである。
この表面シート１１０よりも全光線透過率が高いという条件の下において、中間シート１２０の全光線透過率は６０〜９０％とされる。これが、本発明に係る「前記中間シートの全光線透過率が６０〜９０％である」の一例である。
この全光線透過率を高くすることは、中間シート１２０の厚みを薄くしたり、中間シート１２０を構成する合成繊維に対する酸化チタンの添加量を減少させたり、繊維密度を低くすることにより実現される。
【００３９】
ペット用吸収性シート１００における吸収体１４０は、コア層１４１と、このコア層１４１の表面側に配置される高吸水性ポリマー層１４２とを有する。このコア層１４１が、本発明に係る「該吸収体に設けられたコア層」の一例である。
このコア層１４１は、ペット用吸収性シート１００の排泄面１０１側に形成されたコア層表面１４１Ａを有する。また、コア層１４１は、ペット用吸収性シート１００の載置面側１０２に形成されたコア層裏面１４１Ｂを有する。また、コア層１４１は、コア層表面１４１Ａとコア層裏面１４１Ｂの間に形成されたコア層側面１４１Ｃを有する。
このコア層表面１４１Ａ、コア層裏面１４１Ｂ、コア層側面１４１Ｃが、本発明に係る「該コア層における前記排泄面側に形成されたコア層表面と、該コア層における前記載置面側に形成されたコア層裏面と、該コア層表面とコア層裏面の間に形成されたコア層側面」の一例である。
【００４０】
そして、コア層１４１と高吸水性ポリマー層１４２とからなる積層体は、被覆シート１４３で被覆される。この被覆シート１４３が、本発明に係る「前記コア層表面の少なくとも一部を覆う被覆シート」の一例である。
この第１の実施態様において、被覆シート１４３は、コア層表面１４１Ａの表面側を被覆する第１の被覆シート１４３Ａを有する。この第１の被覆シート１４３Ａが、本発明に係る「前記コア層表面の少なくとも一部を覆う第１の被覆シート」の一例である。
【００４１】
さらに、被覆シート１４３は、コア層裏面１４１Ｂからコア層側面１４１Ｃを経由し、コア層表面１４１Ａの一部を被覆する第２の被覆シート１４３Ｂを有する。この第２の被覆シート１４３Ｂが、本発明に係る「前記コア層裏面の少なくとも一部を覆う第２の被覆シート」の一例である。
なお、第２の被覆シート１４３Ｂにおけるコア層表面１４１Ａの一部を被覆する部分は、コア層表面１４１Ａに配置された第１の被覆シート１４３Ａの排泄面側に配置されている。
【００４２】
コア層１４１は、粒子状や繊維状の高吸収性ポリマーとフラッフパルプとの混合物や、粒子状や繊維状の高吸収性ポリマーとフラッフパルプと熱可塑性剛性樹脂繊維との混合物により形成される。
【００４３】
高吸水性ポリマー層１４２は、コア層１４１の表面側に高吸水性ポリマーを分散させることにより形成される。
【００４４】
被覆シート１４３である第１の被覆シート１４３Ａと第２の被覆シート１４３Ｂは、ティッシュペーパーにより構成され、高吸水性ポリマー層１４２およびコア層１４１の型崩れを防止する。
【００４５】
この第１の実施態様においては、被覆シート１４３に着色が施されている。よって、被覆シート１４３が配色領域１３０を形成している。これが、本発明に係る「前記配色領域が、前記被覆シートに形成されている」の一例である。
具体的には、被覆シート１４３の内、第１の被覆シート１４３Ａが着色を施されている。これが、本発明に係る「前記配色領域が、前記第１の被覆シートに形成されている」の一例である。
【００４６】
本第１の実施形態において、表面シート１１０と中間シート１２０とは、白色を呈している。ここで、白色とは染料および顔料が未添加であることや、白色の染料や白色の顔料を添加していることを現す。
一方、配色領域１３０は、黒色系、黄色系、橙系、赤系にて着色される。ここで、本発明においては、黒色系をＬ＊a＊ｂ＊表色系のＬ＊値が５０以下と定義する。これが、本発明に係る「前記配色手段におけるＬ＊a＊ｂ＊表色系のＬ＊値が、５０以下である」の一例である。
また、本発明においては、黄色系、橙系、赤系を総じて、Ｌ＊a＊ｂ＊表色系のＬ＊値が０より大きく１００より小さくかつｂ＊値が−０．４ａ以上と定義する。これが、本発明に係る「前記配色手段におけるＬ＊a＊ｂ＊表色系のＬ＊値が０より大きく１００より小さくかつｂ＊値が−０．４ａ以上である」の一例である。
黒色系は、液状の排泄物による配色パターンを吸収するため、排泄物を目立たなくする。
また、黄色系、橙系、赤系は、液状の排泄物による配色パターンと同化するため、排泄物を目立たなくする。
【００４７】
裏面シート１６０は、液不透過性を確実に担保するべく、特に樹脂フィルムシートによって構成されるのが好ましい。この裏面シート１６０は、例えば、ポリエチレン、ポリプロピレン、ポリエチレンテレフタレートなどのフィルムを用いて構成可能である。また裏面シートに可撓性を持たせる点を考慮した場合には、不織布に撥水剤を塗布したものを用いることもできる。
【００４８】
表面シート１１０と中間シート１２０、中間シート１２０と第１の被覆シート１４３Ａ、第１の被覆シート１４３Ａと高吸水性ポリマー層１４２、表面シートと１１０と裏面シート１６０のそれぞれは、接合部１５０により接合される。
この接合部１５０は、表面シート１１０と中間シート１２０とを接合する表層側接合部１５１、中間シート１２０と第１の被覆シート１４３Ａとを接合する中間側接合部１５２、第１の被覆シート１４３Ａと高吸水性ポリマー層１４２とを接合する吸収体側接合部１５３、表面シートと１１０と裏面シート１６０とを接合する端部側接合部１５４とにより構成される。
【００４９】
表層側接合部１５１と、中間側接合部１５２と、端部側接合部１５４には、ホットメルト接着剤により接合される。ホットメルト接着剤は、ＨＭＡ（Ｈｏｔ  Ｍｅｌｔｉｎｇ  Ａｄｈｅｓｉｖｅ）とも称される。
【００５０】
表層側接合部１５１と中間側接合部１５２と端部側接合部１５４には、ホットメルト接着剤をスパイラル状のパターンや、直線状のパターンで塗布することができる。
一方、表層側接合部１５１と中間側接合部１５２とにおいては、カーテンスプレー塗工が施されることが好ましい。このカーテンスプレー塗工は、ホットメルト接着剤による細い繊維を吐出し、均一に塗布するものである。
このカーテンスプレー塗工においては、特に０．１〜１．０ｇ／ｍ２という条件が好ましい。この条件であると、表面シート１１０、中間シート１２０、吸収体１４０が排泄物を吸収し、膨張した際の形状の変化により、中間シート１２０と吸収体１４０とが剥離する。
【００５１】
なお、端部側接合部１５４においては、表面シート１１０と裏面シートとを強固に接着する必要があるため、ビード塗工が好ましい。
このビード塗工は、製造工程において、ＭＤ方向に沿って、非接触にてホットメルト接着剤を線状に塗布するものである。よって、ホットメルト接着剤を線状に細く塗布するできるため、少量のホットメルト接着剤を高い目付にて設けることができる。
【００５２】
吸収体側接合部１５３において、第１の被覆シート１４３Ａと高吸水性ポリマー層１４２とは、水スプレーにより接着される。
この水スプレーは、製造工程において、吸収体の型崩れを防止するために、高吸水性ポリマー層１４２に水を噴霧し、第１の被覆シート１４３Ａを貼り付けるものである。なお、このスプレーされた水はその後、蒸発する。よって、実際に使用者がペット用吸収性シート１００を使用する際には、水スプレーの噴霧箇所は乾燥した状態となる。
【００５３】
本発明の第１の実施形態に係るペット用吸収性シート１００において、ペットが排泄を行った場合は、排泄物が表面シート１１０から中間シート１２０を経由し、吸収体１４０に導かれる。この際、中間シート１２０は液保持性が低いため、吸収体１４０へ良好に排泄物を移行させることができる。この際、表面シート１１０の全光線透過率は、中間シート１２０よりも低くされている。よって、中間シート１２０および吸収体１４０に保持されている排泄物が、表面シート１００からは見え難くなる。
【００５４】
さらに、第１の被覆シート１４３Ａは、配色領域１３０とされている。よって、中間シート１２０および吸収体１４０に保持された排泄物を、隠蔽することができる。
よって、中間シート１２０および吸収体１４０に保持されている排泄物が、表面シート１００から確認し難くなる。
【００５５】
さらに、中間シート１２０と第１の被覆シート１４３Ａとを接続する中間側接続部１５２が崩壊し、中間シート１２０と吸収体１４０とが剥離する。
この結果、中間シート１２０および吸収体１４０に保持されている排泄物が、さらに表面シート１００から確認し難くなる。
【００５６】
（第２の実施形態）
本発明に係る第２の実施形態を、図４に基づき説明する。この第２の実施形態に係るペット用吸収性シート２００は、表面シート２１０と裏面シート２６０との間に、吸収体２４０が配置されている。表面シート２１０と吸収体２４０との間に、中間シート２２０が配置されている。
【００５７】
表面シート２１０の構成は、第１の実施形態の表面シート１１０と同様である。すなわち、畝部２１１と、隣り合う畝部２１１同士の間に設けられた溝部２１２と、溝部２１２が連続する方向に沿って間隔を空けて設けられた開口部２１３とを有するエアスルー不織布にて形成される。
裏面シート２６０の構成は、第１の実施形態の裏面シート１６０と同様である。
【００５８】
吸収体２４０の構成は、第１の実施形態の吸収体１４０と同様である。すなわち、コア層２４１と、コア層２４１の表面側に配置された高吸水性ポリマー層２４２とが、第１の被覆シート２４３Ａおよび第２の被覆シート２４３Ｂにて覆われている。
なお、第２の被覆シート２４３Ｂにおけるコア層表面２４１Ａの一部を被覆する部分は、コア層表面２４１Ａに配置された第１の被覆シート２４３Ａの排泄面側に配置されている。
第１の被覆シート２４３Ａは有色であり、配色領域２３０とされている。
【００５９】
本第２の実施形態においては、中間シート２２０として、第１の中間シート２２１と第２の中間シート２２２とが配置されている。このように、中間シート２２０として複数毎のものを使用することができる。なお、第１の中間シート２２１と第２の中間シート２２２とは第１の中間側接合部２５２Ａにより接合され、第２の中間シート２５２Ｂと吸収体２４０とは、第２の中間側接合部２５２Ｂとにより接合される。
この第２の中間側接合部２５２Ｂは、前述の第１の実施形態の中間接合部１５２と同様、吸液により剥離可能な構成とされている。
なお、本第２の実施形態においては中間シート２２２を２枚使用したが、２枚以上の中間シート２２２を使用しても良い。これが、本発明に係る「前記中間シートが、複数配置されている」の一例である。
【００６０】
表層側接合部２５１の構成は、第１の実施形態の表層側接合部１５１と同様である。
吸収体側接合部２５３の構成は、第１の実施形態の吸収体側接合部１５３と同様である。
端部側接合部２５４の構成は、第１の実施形態の端部側接合部１５４と同様である。
【００６１】
この第２の実施形態に係るペット用吸収性シート２００は、基本的には、第１の実施形態のペット用吸収性シート１００と同様の作用・効果を奏する。
この際、第１の実施形態に比して、中間シート２２０として、第１の中間シート２２１と第２の中間シート２２２とが配置されるため、より排泄物の隠蔽効果が高いものである。
さらに、表面シート２１０よりも第１の中間シート２２１の繊維密度を高く構成し、第１の中間シート２２１よりも第２の中間シート２２２の目付を高くすることができる。
すなわち、表面シート２１０と、第１の中間シート２２１と、第２の中間シート２２２とに密度勾配を設けることができる。この結果、より吸収体２４０への液の引き込みを容易とすることができる。従って、排泄物の隠蔽効果を高めることができる。
【００６２】
（第３の実施形態）
本発明に係る第３の実施形態を、図５に基づき説明する。この第３の実施形態に係るペット用吸収性シート３００は、表面シート３１０と裏面シート３６０との間に、吸収体３４０が配置されている。表面シート３１０と吸収体３４０との間に、中間シート３２０が配置されている。
【００６３】
表面シート３１０の構成は、第１の実施形態の表面シート１１０と同様である。すなわち、畝部３１１と、隣り合う畝部３１１同士の間に設けられた溝部３１２と、溝部３１２が連続する方向に沿って間隔を空けて設けられた開口部３１３とを有するエアスルー不織布にて形成される。
裏面シート３６０の構成は、第１の実施形態の裏面シート１６０と同様である。
【００６４】
吸収体３４０は、コア層３４１と、コア層３４１の表面側に配置された高吸水性ポリマー層３４２とが、被覆シートにて覆われている。この被覆シートは、単一のシートにより形成されており、第３の被覆シート３４３とされている。
被覆シート３４３は有色のティッシュからなり、配色領域３３０とされている。この結果、配色領域３３０は、ペット用吸収性シート３００の載置面３００Ｂ側にも形成されることとなる。
これが、本発明に係る「前記被覆シートが、前記コア層裏面を覆う第３の被覆シートにより形成されている」の一例である。
【００６５】
中間シート３２０の構成は、第１の実施形態の中間シート１２０と同様である。
表層側接合部３５１の構成は、第１の実施形態の表層側接合部１５１と同様である。
中間側接合部３５２の構成は、第１の実施形態の中間側接合部１５２と同様である。
吸収体側接合部３５３の構成は、第１の実施形態の吸収体側接合部１５３と同様である。
端部側接合部３５４の構成は、第１の実施形態の端部側接合部１５４と同様である。
【００６６】
この第３の実施形態に係るペット用吸収性シート３００における、排泄面からの排泄物の隠蔽性は、第１の実施形態のペット用吸収性シート１００と同様の作用・効果を奏する。
一方、配色領域３３０が、載置面３００Ｂ側にも設けられている。一般的に、使用済みのペット用吸収性シートを廃棄する際には、排泄面側を内側にして折り畳む。この結果、載置面が露呈される。
よって、この第３の実施形態に係るペット用吸収性シート３００にあっては、載置面３００Ｂ側の排泄物を見え難くできる。従って、使用済みの吸収性ペットシートを廃棄する際の不快感を低減することができる。
【００６７】
（第４の実施形態）
本発明に係る第４の実施形態を、図６に基づき説明する。この第４の実施形態に係るペット用吸収性シート４００は、表面シート４１０と裏面シート４６０との間に、吸収体４４０が配置されている。表面シート４１０と吸収体４４０との間に、中間シート４２０が配置されている。
【００６８】
表面シート４１０の構成は、第１の実施形態の表面シート１１０と同様である。すなわち、畝部４１１と、隣り合う畝部４１１同士の間に設けられた溝部４１２と、溝部４１２が連続する方向に沿って間隔を空けて設けられた開口部４１３とを有するエアスルー不織布にて形成される。
裏面シート４６０の構成は、第１の実施形態の裏面シート１６０と同様である。
【００６９】
吸収体４４０の構成は、コア層４４１と、コア層４４１の表面側に配置された高吸水性ポリマー層４４２とが、第１の被覆シート４４３Ａおよび第２の被覆シート４４３Ｂにて覆われている。
なお、第２の被覆シート４４３Ｂにおけるコア層表面４４１Ａの一部を被覆する部分は、コア層表面４４１Ａに配置された第１の被覆シート４４３Ａの排泄面側に配置されている。
第１の被覆シート４４３Ａおよび第２の被覆シート４４３Ｂは、着色されていない白色のティッシュにより形成される。
【００７０】
中間シート４２０は、第１の実施形態の中間シート１２０と同様のＳＭＳ不織布により形成される。一方、中間シート３２０は有色であり、配色領域４３０とされている。
これが、本発明に係る「前記配色領域が、前記中間シートに形成されている」の一例である。
【００７１】
表層側接合部４５１の構成は、第１の実施形態の表層側接合部１５１と同様である。
中間側接合部４５２の構成は、第１の実施形態の中間側接合部１５２と同様である。
吸収体側接合部４５３の構成は、第１の実施形態の吸収体側接合部１５３と同様である。
端部側接合部４５４の構成は、第１の実施形態の端部側接合部１５４と同様である。
【００７２】
この第４の実施形態に係るペット用吸収性シート４００は、第１の実施形態のペット用吸収性シート１００と同様の作用・効果を奏する。
【００７３】
（第５の実施形態）
本発明に係る第５の実施形態を、図７に基づき説明する。この第５の実施形態に係るペット用吸収性シート５００は、表面シート５１０と裏面シート５６０との間に、吸収体５４０が配置されている。表面シート５１０と吸収体５４０との間に、中間シート５２０が配置されている。
【００７４】
表面シート５１０は、畝部５１１と、隣り合う畝部５１１同士の間に設けられた溝部５１２と、溝部５１２が連続する方向に沿って間隔を空けて設けられた開口部５１３とを有するエアスルー不織布にて形成される。
この表面シート５１０は有色であり、配色領域５３０を形成している。これが、本発明に係る「前記配色領域が、前記表面シートに形成されている」の一例である。
裏面シート５６０の構成は、第１の実施形態の裏面シート１６０と同様である。
【００７５】
吸収体５４０の構成は、コア層５４１と、コア層５４１の表面側に配置された高吸水性ポリマー層５４２とが、第１の被覆シート５４３Ａおよび第２の被覆シート５４３Ｂにて覆われている。
なお、第２の被覆シート５４３Ｂにおけるコア層表面５４１Ａの一部を被覆する部分は、コア層表面５４１Ａに配置された第１の被覆シート５４３Ａの排泄面側に配置されている。
第１の被覆シート５４１および第２の被覆シート５４２は、着色されていない白色のティッシュにより形成される。
【００７６】
中間シート５２０の構成は、第１の実施形態の中間シート１２０と同様である。
表層側接合部５５１の構成は、第１の実施形態の表層側接合部１５１と同様である。
中間側接合部５５２の構成は、第１の実施形態の中間側接合部１５２と同様である。
吸収体側接合部５５３の構成は、第１の実施形態の吸収体側接合部１５３と同様である。
端部側接合部５５４の構成は、第１の実施形態の端部側接合部１５４と同様である。
【００７７】
この第５の実施形態に係るペット用吸収性シート５００は、第１の実施形態のペット用吸収性シート１００と同様の作用・効果を奏する。
【００７８】
（第６の実施形態）
本発明に係る第６の実施形態を、図８に基づき説明する。この第６の実施形態に係るペット用吸収性シート６００は、表面シート６１０と裏面シート６６０との間に、吸収体６４０が配置されている。表面シート６１０と吸収体６４０との間に、中間シート６２０が配置されている。
【００７９】
表面シート６１０の構成は、第１の実施形態の表面シート１１０と同様である。すなわち、畝部６１１と、隣り合う畝部６１１同士の間に設けられた溝部６１２と、溝部６１２が連続する方向に沿って間隔を空けて設けられた開口部６１３とを有するエアスルー不織布にて形成される。
裏面シート６６０の構成は、第１の実施形態の裏面シート１６０と同様である。
【００８０】
吸収体６４０の構成は、コア層６４１と、コア層６４１の表面側に配置された高吸水性ポリマー層６４２とが、第１の被覆シート６４３Ａおよび第２の被覆シート６４３Ｂにて覆われている。
なお、第２の被覆シート６４３Ｂにおけるコア層表面６４１Ａの一部を被覆する部分は、コア層表面６４１Ａに配置された第１の被覆シート６４３Ａの排泄面側に配置されている。
このコア層６４１を構成するパルプ繊維が有色とされており、コア層６４１が配色領域６３０とされている。これが、本発明に係る「前記配色領域が、前記コア層に形成されている」の一例である。
第１の被覆シート６４３Ａおよび第２の被覆シート６４３Ｂは、着色されていない白色のティッシュにより形成される。
【００８１】
中間シート６２０の構成は、第１の実施形態の中間シート１２０と同様である。
表層側接合部６５１の構成は、第１の実施形態の表層側接合部１５１と同様である。
中間側接合部６５２の構成は、第１の実施形態の中間側接合部１５２と同様である。
吸収体側接合部６５３の構成は、第１の実施形態の吸収体側接合部１５３と同様である。
端部側接合部６５４の構成は、第１の実施形態の端部側接合部１５４と同様である。
【００８２】
この第６の実施形態に係るペット用吸収性シート６００は、第１の実施形態のペット用吸収性シート１００と同様の作用・効果を奏する。
【００８３】
（第７の実施形態）
本発明に係る第７の実施形態を、図９に基づき説明する。この第７の実施形態に係るペット用吸収性シート１００Ａは、第１の実施形態に係るペット用吸収性シート１００と比して、第２の被覆シート１４３ＡＢの構成が異なる。
すなわち、第２の被覆シート１４３ＡＢにおけるコア層表面１４１Ａの一部を被覆する部分は、コア層表面１４１Ａに配置された中間シート１２０の排泄面側に配置されている。
一方、第７の実施形態に係るペット用吸収性シート１００Ａは、第１の実施形態に係るペット用吸収性シート１００と同様の作用・効果を奏する。
【００８４】
（第８の実施形態）
本発明に係る第８の実施形態を、図１０に基づき説明する。この第８の実施形態に係るペット用吸収性シート４００Ａは、第４の実施形態に係るペット用吸収性シート４００と比して、第２の被覆シート４４３ＡＢの構成が異なる。
すなわち、第２の被覆シート４４３ＡＢにおけるコア層表面４４１Ａの一部を被覆する部分は、コア層表面４４１Ａに配置された中間シート４２０の排泄面側に配置されている。
一方、第８の実施形態に係るペット用吸収性シート４００Ａは、第４の実施形態に係るペット用吸収性シート４００と同様の作用・効果を奏する。
【００８５】
（第９の実施形態）
本発明に係る第９の実施形態を、図１１に基づき説明する。この第９の実施形態に係るペット用吸収性シート５００Ａは、第５の実施形態に係るペット用吸収性シート５００と比して、第２の被覆シート５４３ＡＢの構成が異なる。
すなわち、第２の被覆シート５４３ＡＢにおけるコア層表面５４１Ａの一部を被覆する部分は、コア層表面５４１Ａに配置された中間シート５２０の排泄面側に配置されている。
一方、第９の実施形態に係るペット用吸収性シート５００Ａは、第５の実施形態に係るペット用吸収性シート５００と同様の作用・効果を奏する。
【００８６】
（第１０の実施形態）
本発明に係る第１０の実施形態を、図１２に基づき説明する。この第１０の実施形態に係るペット用吸収性シート６００Ａは、第６の実施形態に係るペット用吸収性シート６００と比して、第２の被覆シート６４３ＡＢの構成が異なる。
すなわち、第２の被覆シート６４３ＡＢにおけるコア層表面６４１Ａの一部を被覆する部分は、コア層表面６４１Ａに配置された中間シート６２０の排泄面側に配置されている。
一方、第１０の実施形態に係るペット用吸収性シート６００Ａは、第６の実施形態に係るペット用吸収性シート６００と同様の作用・効果を奏する。
【００８７】
（第１１の実施形態）
本発明に係る第１１の実施形態を、図１３に基づき説明する。この第１１の実施形態に係るペット用吸収性シート１００Ｂは、第１の実施形態に係るペット用吸収性シート１００と比して、第２の被覆シート１４３ＢＢの構成が異なる。
すなわち、第２の被覆シート１４３ＢＢおけるコア層表面１４１Ａの一部を被覆する部分は、第１の被覆シート１４３ＢＡの載置面側に配置されている。
一方、第１１の実施形態に係るペット用吸収性シート１００Ｂは、第１の実施形態に係るペット用吸収性シート１００と同様の作用・効果を奏する。
【００８８】
（第１２の実施形態）
本発明に係る第１２の実施形態を、図１４に基づき説明する。この第１２の実施形態に係るペット用吸収性シート４００Ｂは、第４の実施形態に係るペット用吸収性シート４００と比して、第２の被覆シート４４３ＢＢの構成が異なる。
すなわち、第２の被覆シート４４３ＢＢにおけるコア層表面４４１Ａの一部を被覆する部分は、第１の被覆シート４４３ＢＡの載置面側に配置されている。
一方、第１２の実施形態に係るペット用吸収性シート４００Ｂは、第４の実施形態に係るペット用吸収性シート４００と同様の作用・効果を奏する。
【００８９】
（第１３の実施形態）
本発明に係る第１３の実施形態を、図１５に基づき説明する。この第１３の実施形態に係るペット用吸収性シート５００Ｂは、第５の実施形態に係るペット用吸収性シート５００と比して、第２の被覆シート５４３ＢＢの構成が異なる。
すなわち、第２の被覆シート５４３ＢＢにおけるコア層表面５４１Ａの一部を被覆する部分は、第１の被覆シート５４３ＢＡの載置面側に配置されている。
一方、第１３の実施形態に係るペット用吸収性シート５００ｂは、第５の実施形態に係るペット用吸収性シート５００と同様の作用・効果を奏する。
【００９０】
（第１４の実施形態）
本発明に係る第１４の実施形態を、図１６に基づき説明する。この第１４の実施形態に係るペット用吸収性シート６００Ｂは、第６の実施形態に係るペット用吸収性シート６００と比して、第２の被覆シート６４３ＢＢの構成が異なる。
すなわち、第２の被覆シート６４３ＢＢにおけるコア層表面６４１Ａの一部を被覆する部分は、第１の被覆シート６４３ＢＡの載置面側に配置されている。
一方、第１４の実施形態に係るペット用吸収性シート６００Ｂは、第６の実施形態に係るペット用吸収性シート６００と同様の作用・効果を奏する。
【００９１】
なお、本発明に係るペット用吸収性シートの構成は、上述した構造に限らないものである。また、第１〜第１４の実施態様に係る構成を適宜組み合わせることも可能である。
【実施例】
【００９２】
本発明に係る実施例を、図１７および図１８に示す。
この実施例は、本発明に係るペット用吸収性シートに関する、排泄物の隠蔽性を評価するものである。
まず、実施例の作成にあたり、実施例および比較例を形成するためのシート状部材に関する全光線透過率の評価を行った。
評価にあたり、５つのシートを得た。
シート１は、エアスルー不織布であり、目付が２５ｇ／ｍ２のものである。
シート２は、エアスルー不織布であり、目付が２３ｇ／ｍ２のものである。
シート３は、エアスルー不織布であり、目付が２０ｇ／ｍ２のものである。
シート４は、ＳＭＳ不織布であり、目付が８ｇ／ｍ２のものである。
シート５は、ティッシュペーパーであり、目付が１５ｇ／ｍ２のものである。なお、このシート５に係るティッシュペーパーは、黒色の顔料を１重量％加え、着色されているものである。
【００９３】
全光線透過率の測定にあたっては、日本電色工業株式会社の濁度計測定機器Ｚ−３００Ａを用いて、ＪＩＳ  Ｋ  ７１０５に準拠した試験を行った。なお、試験にあたっては、一つのシートにつき１０回の試験を行い、その平均を求めた。
その結果を図１７に示す。
【００９４】
この全光線透過率の測定結果に基づき、シート状部材を選択し、実施例と比較例を得た。
実施例の構成は、本発明に係る第１の実施態様のペット用吸収性シート１００と同様の構成である。
【００９５】
（実施例１）
表面シートとして、シート３に係るエアスルー不織布を使用した。また、中間シートとして、シート４に係るＳＭＳ不織布を使用した。また、被覆シートとして、シート５に係るティッシュペーパーを使用した。
また、吸収体として目付６０ｇ／ｍ２のパルプと、高吸水性ポリマーの混合物を使用した。裏面シートとして、樹脂フィルムシートを使用した。
すなわち、この実施例においては、表面シートの全光線透過率が、中間シートの全光線透過率よりも低く形成されているものである。
【００９６】
（比較例１）
表面シートとして、シート４に係るＳＭＳ不織布を使用した。また、中間シートとして、シート３に係るエアスルー不織布を使用した。また、被覆シート、吸収体、裏面シートとして実施例１と同様の構成とした。
すなわち、この比較例においては、表面シートの全光線透過率が、中間シートの全光線透過率よりも高く形成されているものである
【００９７】
次に、実施例１に係るペット用吸収性シートと、比較例に係るペット用吸収性シートを用い、排泄物の隠蔽効果に係る試験を行った。
この試験にあたり、まず人口尿を準備した。この人口尿は、一般的な透明の人口尿５００ｍｌに対し、黄色５号の顔料を０．００５ｇ加えたものである。
この人口尿４０ｃｃを実施例と比較例とに係るペット用吸収性シートに滴下した。人口尿を滴下した後、１０秒後、１分後、２分後、５分後において、実施例もしくは比較例を目視して評価を行った。
【００９８】
評価にあたっては、人口尿を滴下していない表面シートの色彩を１とし、人口尿を滴下した直後における表面シートの色彩を１０とした１０段階を設けた。
【００９９】
この評価結果を、図１８に示す。
このデータにより、本発明に係る実施例の方が、比較例よりも排泄物の隠蔽効果が高いことが確認された。
【０１００】
（実施の形態ないし実施例本発明の各構成要素の対応について）
ペット用吸収性シート１００、２００、３００、４００、５００、６００、１００Ａ、４００Ａ、５００Ａ、６００Ａ、１００Ｂ、４００Ｂ、５００Ｂ、６００Ｂは本発明に係る「ペット用吸収性シート」の一例である。排泄面１０１は、本発明に係る「排泄面」の一例である。載置面１０２は、本発明に係る「載置面」の一例である。表面シート１１０、２１０．３１０、４１０、５１０、６１０は、本発明に係る「表面シート」の一例である。裏面シート１６０、２６０、３６０、４６０、５６０、６６０は、本発明に係る「裏面シート」の一例である。吸収体１４０、２４０、３４０、４４０、５４０、６４０は、本発明に係る「吸収体」の一例である。コア層１４１、２４１、３４１、４４１、５４１、６４１は、本発明に係る「コア層」の一例である。コア層表面１４１Ａ、２４１Ａ、３４１Ａ、４４１Ａ、５４１Ａ、６４１Ａは、本発明に係る「コア層表面」の一例である。コア層裏面１４１Ｂ、２４１Ｂ、３４１Ｂ、４４１Ｂ、５４１Ｂ、６４１Ｂは、本発明に係る「コア層裏面」の一例である。コア層側面１４１Ｃ、２４１Ｃ、３４１Ｃ、４４１Ｃ、５４１Ｃ、６４１Ｃは、本発明に係る「コア層側面」の一例である。被覆シート１４３、２４３、３４３、４４３、５４３、６４３、１４３Ａ、４４３Ａ、５４３Ａ、６４３Ａ、１４３Ｂ、４４３Ｂ、５４３Ｂ、６４３Ｂは、本発明に係る「被覆シート」の一例である。中間シート１２０、２２０、３２０、４２０、５２０、６２０は、本発明に係る「中間シート」の一例である。配色領域１３０、２３０、３３０、４３０、５３０、６３０は、本発明に係る「配色領域」の一例である。畝部１１１、２１１、３１１、４１１、５１１、６１１は、本発明に係る「畝部」の一例である。溝部１１２、２１２、３１２、４１２、５１２、６１２は、本発明に係る「溝部」の一例である。被覆シート１４３、２４３、３４３、４４３、５４３、６４３、１４３Ａ、４４３Ａ、５４３Ａ、６４３Ａは、本発明に係る「被覆シート」の一例である。第１の被覆シート１４３Ａ、２４３Ａ、３４３Ａ、４４３Ａ、５４３Ａ、６４３Ａ、１４３ＡＡ、４４３ＡＡ、５４３ＡＡ、６４３ＡＡ、１４３ＢＡ、４４３ＢＡ、５４３ＢＡ、６４３ＢＡは、本発明に係る「第１の被覆シート」の一例である。第２の被覆シート１４３Ｂ、２４３Ｂ、３４３Ｂ、４４３Ｂ、５４３Ｂ、６４３Ｂ、１４３ＡＢ、４４３ＡＢ、５４３ＡＢ、６４３ＡＢ、１４３ＢＢ、４４３ＢＢ、５４３ＢＢ、６４３ＢＢは、本発明に係る「第２の被覆シート」の一例である。第３の被覆シート３４３は、本発明に係る「第３の被覆シート」の一例である。
【０１０１】
以上の本発明の特質に鑑み、以下の各種の構成態様が構築できる。
（態様１）
ペット用吸収性シートであって、
ペットが排泄を行う側の表面である排泄面と、
該排泄面と対向する表面である載置面と、
前記排泄面側に配置される透液性の表面シートと、
前記載置面側に配置される不透液性の裏面シートと、
前記表面シートおよび前記裏面シートの間に設けられて、前記表面シートを透過した液を吸収する吸収体と、
該吸収体に設けられたコア層と、該コア層における前記排泄面側に形成されたコア層表面と、該コア層における前記載置面側に形成されたコア層裏面と、該コア層表面とコア層裏面の間に形成されたコア層側面と、
前記コア層表面の少なくとも一部を覆う被覆シートと、
前記表面シートと前記吸収体との間に配置された中間シートと、を有し、
前記排泄面側から視認可能であり、前記ペット用吸収性シートの他の領域とともに配色パターンを有形成する配色領域を有するとともに、
前記表面シートが、前記中間シートよりも全光線透過率が低く形成されていることを特徴とするペット用吸収性シート。
（態様２）
態様１に記載されたペット用吸収性シートにおいて、
前記表面シートと前記中間シートとの全光線透過率の差異が１〜５０％であることを特徴とするペット用吸収性シート。
（態様３）
態様１または２に記載されたペット用吸収性シートにおいて、
前記表面シートの全光線透過率が４０〜８０％であることを特徴とするペット用吸収性シート。
（態様４）
態様１〜３のいずれか１項に記載されたペット用吸収性シートにおいて、
前記中間シートの全光線透過率が６０〜９０％であることを特徴とするペット用吸収性シート。
（態様５）
態様１〜４のいずれか１項に記載されたペット用吸収性シートにおいて、
前記表面シートが、複数の畝部と、隣り合う前記畝部同士の間に形成された溝部とを有することを特徴とするペット用吸収性シート。
（態様６）
態様１〜５のいずれか１項に記載されたペット用吸収性シートにおいて、
前記中間シートが、２つのスパンボンド不織布層の間にメルトブローン不織布層を有する複合不織布からなり、該複合不織布の目付は８〜２５ｇ／ｍ２であることを特徴とするペット用吸収性シート。
（態様７）
態様１〜６のいずれか１項に記載されたペット用吸収性シートにおいて、
前記配色手段におけるＬ＊a＊ｂ＊表色系のＬ＊値が、５０以下であることを特徴とするペット用吸収性シート。
（態様８）
態様１〜６のいずれか１項に記載されたペット用吸収性シートにおいて、
前記配色手段におけるＬ＊a＊ｂ＊表色系のＬ＊値が０より大きく１００より小さくかつｂ＊値が−０．４ａ以上であることを特徴とするペット用吸収性シート。
（態様９）
態様１〜８のいずれか１項に記載されたペット用吸収性シートにおいて、
前記配色領域が、前記被覆シートに形成されていることを特徴とするペット用吸収性シート。
（態様１０）
態様９に記載されたペット用吸収性シートにおいて、
前記被覆シートが、前記コア層表面の少なくとも一部を覆う第１の被覆シートと、前記コア層裏面の少なくとも一部を覆う第２の被覆シートとにより形成され、
前記配色領域が、前記第１の被覆シートに形成されていることを特徴とするペット用吸収性シート。
（態様１１）
態様９に記載されたペット用吸収性シートにおいて、
前記被覆シートが、前記コア層裏面を覆う第３の被覆シートにより形成され、
前記配色領域が、前記第３の被覆シートに形成されていることを特徴とするペット用吸収性シート。
（態様１２）
態様９〜１１のいずれか１項に記載されたペット用吸収性シートにおいて、
前記中間シートが、複数配置されていることを特徴とするペット用吸収性シート。
（態様１３）
態様１〜８のいずれか１項に記載されたペット用吸収性シートにおいて、
前記配色領域が、前記中間シートに形成されていることを特徴とするペット用吸収性シート。
（態様１４）
態様１〜８のいずれか１項に記載されたペット用吸収性シートにおいて、
前記配色領域が、前記表面シートに形成されていることを特徴とするペット用吸収性シート。
（態様１５）
態様１〜８のいずれか１項に記載されたペット用吸収性シートにおいて、
前記配色領域が、前記コア層に形成されていることを特徴とするペット用吸収性シート。
【符号の説明】
【０１０２】
１００、２００、３００、４００、５００、６００、１００Ａ、４００Ａ、５００Ａ、６００Ａ、１００Ｂ、４００Ｂ、５００Ｂ、６００Ｂ  ペット用吸収性シート
１０１  排泄面
１０２  載置面
１１０、２１０．３１０、４１０、５１０、６１０  表面シート
１１１、２１１、３１１、４１１、５１１、６１１  畝部
１１２、２１２、３１２、４１２、５１２、６１２  溝部
１１３、２１３、３１３、４１３、５１３、６１３  開口部
１２０、２２０、３２０、４２０、５２０、６２０  中間シート
２２１  第１の中間シート
２２２  第２の中間シート
１３０、２３０、３３０、４３０、５３０、６３０  配色領域
１４０、２４０、３４０、４４０、５４０、６４０  吸収体
１４１、２４１、３４１、４４１、５４１、６４１  コア層
１４１Ａ、２４１Ａ、３４１Ａ、４４１Ａ、５４１Ａ、６４１Ａ  コア層表面
１４１Ｂ、２４１Ｂ、３４１Ｂ、４４１Ｂ、５４１Ｂ、６４１Ｂ  コア層裏面
１４１Ｃ、２４１Ｃ、３４１Ｃ、４４１Ｃ、５４１Ｃ、６４１Ｃ  コア層側面
１４２、２４２、４４２、５４２、６４２  高吸水性ポリマー層
１４３、２４３、３４３、４４３、５４３、６４３、１４３Ａ、４４３Ａ、５４３Ａ、６４３Ａ、１４３Ｂ、４４３Ｂ、５４３Ｂ、６４３Ｂ  被覆シート
１４３Ａ、２４３Ａ、３４３Ａ、４４３Ａ、５４３Ａ、６４３Ａ、１４３ＡＡ、４４３ＡＡ、５４３ＡＡ、６４３ＡＡ、１４３ＢＡ、４４３ＢＡ、５４３ＢＡ、６４３ＢＡ  第１の被覆シート
１４３Ｂ、２４３Ｂ、３４３Ｂ、４４３Ｂ、５４３Ｂ、６４３Ｂ、１４３ＡＢ、４４３ＡＢ、５４３ＡＢ、６４３ＡＢ、１４３ＢＢ、４４３ＢＢ、５４３ＢＢ、６４３ＢＢ  第２の被覆シート
３４３  第３の被覆シート
１５０、２５０、３５０、４５０、５５０、６５０  接合部
１５１、２５１、３５１、４５１、５５１、６５１  表面側接合部
１５２、２５２、３５２、４５２、５５２、６５２  中間側接合部
１５３、２５３、３５３、４５３、５５３、６５３  吸収体側接合部
１５４、２５４、３５４、４５４、５５４、６５４  端部側接合部
２５２Ａ  第１の中間側接合部
２５２Ｂ  第２の中間側接合部
１６０、２６０、３６０、４６０、５６０、６６０  裏面シート
【図１】
2014117177.tif 000003
【図２】
2014117177.tif 000004
【図３】
2014117177.tif 000005
【図４】
2014117177.tif 000006
【図５】
2014117177.tif 000007
【図６】
2014117177.tif 000008
【図７】
2014117177.tif 000009
【図８】
2014117177.tif 000010
【図９】
2014117177.tif 000011
【図１０】
2014117177.tif 000012
【図１１】
2014117177.tif 000013
【図１２】
2014117177.tif 000014
【図１３】
2014117177.tif 000015
【図１４】
2014117177.tif 000016
【図１５】
2014117177.tif 000017
【図１６】
2014117177.tif 000018
【図１７】
2014117177.tif 000019
【図１８】
2014117177.tif 000020